(57)【要約】【課題】  被災地における多数の被災者の電子カルテの作成に工夫を凝らし、医師による多数の被災者の診療等の救急診療支援を円滑に行うようにした救急診療支援電子カルテ装置及びトリアージタグを提供する。【解決手段】  医療補助者は、端末４００のキーボードやマウスの操作により、被災者の特定事項、血圧計３００ａ、体温計３００ｂ及び心拍計３００ｃで測定した血圧、体温及び脈拍に基づき医師により診察された被災者の症状、及び被災者に対する医師の処置内容をＣＰＵ４０４に入力する。ＣＰＵ４０４は、上記キーボードやマウスの操作により入力された被災者の特定事項、被災者の症状及び医師の処置内容を電子カルテに入力して駆動回路４００ｂを介しＬＣＤ４００ｃに出力する。ＬＣＤ４００ｃが電子カルテを表示すると、医師が電子カルテの内容を正しいと確認したときその旨をキーボードやマウスの操作により入力することで、電子カルテの内容を確定する【選択図】    図１０
2007086855.tif 000002
【特許請求の範囲】
【請求項１】
被災者のバイタルサインデータを測定するバイタルサインデータ測定手段と、
操作入力手段、処理手段及び表示手段を有する端末とを備えて、
前記操作入力手段は、医療補助者により操作されて、前記被災者の特定事項、前記バイタルサインデータ測定手段で測定したバイタルサインデータに基づき医師により診察された前記被災者の症状、及び前記被災者に対する医師の処置内容を前記処理手段に入力し、
前記処理手段は、前記操作入力手段からの前記被災者の特定事項、前記被災者の症状及び前記医師の処置内容を電子カルテに入力して前記表示手段に出力するように処理し、
前記表示手段は、前記電子カルテを表示し、
医師が前記電子カルテの内容を正しいと確認したときその旨を前記操作入力手段の操作により入力することで、前記電子カルテの内容を確定するようにした救急診療支援電子カルテ装置。
【請求項２】
保管庫本体と、この保管庫本体の上端開口部に開閉可能に設けられる蓋とを備え、
前記保管庫本体は、
桐材或いはこの桐材と同様の特性を有する木材に難燃溶液を含浸して形成される外側筐体と、この外側筐体内に嵌装されて鉄板或いはこの鉄板と同様の特性を有する金属板で形成してなる中側筐体と、この中側筐体内に嵌装されて木材で形成してなる内側筐体とを備えて、
前記上端開口部を、前記各筐体の全上端開口部でもって構成してなり、
前記蓋は、桐材或いはこの桐材と同様の特性を有する木材に難燃溶液を含浸して形成される中空状枠体と、この枠体の上端開口部内に嵌着されてなる蓋壁であって、木材からなる内壁部、この内壁部上に積層されて鉄板或いはこの鉄板と同様の特性を有する金属板で形成してなる中壁部及びこの中壁部上に積層されて桐材或いはこの桐材と同様の特性を有する木材からなる外壁部でもって構成される蓋壁とを備えて、
前記枠体の下端開口部及び前記各筐体の全上端開口部は、それぞれ、互いに気密的に嵌合する嵌合形状に形成されている可搬式保管庫を具備して、
前記バイタルサインデータ測定手段及び端末は、前記保管庫内に予め保管されていることを特徴とする請求項１に記載の救急診療支援電子カルテ装置。
【請求項３】
前記蓋が前記保管庫本体の上端開口部に対し上下方向に傾斜状に回動するように、前記枠体の下端開口部及び前記各筐体の全上端開口部は、その各対応端部にて、互いに支持されており、
前記各筐体の全上端開口部の嵌合形状は、前記内側筐体側から前記外側筐体側にかけて断面階段形状となっており、前記枠体の下端開口部の嵌合形状は、前記内側筐体側から前記外側筐体側にかけて前記断面階段形状とは逆の断面階段形状となっていることを特徴とする請求項２に記載の救急診療支援電子カルテ装置。
【請求項４】
請求項１〜３のいずれか１つに記載の救急診療支援電子カルテ装置の前記端末にセットされたとき、前記操作入力手段の操作により前記被災者を特定する氏名及び電話番号を入力されて電子的に記憶するトリアージタグ。
【発明の詳細な説明】
【技術分野】
【０００１】
本発明は、救急診療支援電子カルテ装置及びトリアージタグに関するものである。
【背景技術】
【０００２】
近年、我が国においては、複数の大震災が既に発生している。また、東海地震、東南海地震や南海地震等の大震災がいつ起きてもおかしくないといわれている。これら大震災は、大都市で発生したもの或いは発生すると予測されるものであって、その被害は想像を絶するものであろう。例えば、当該大都市の機能は停止し、通信や電源等のすべてのインフラストラクチャーが使用不能となり、外部からの救援や救助活動が得られない状態が長く継続する。このような状況においては、多数の被災者が、被災地において発生し、いくつかの避難所に分散して避難することとなる。（先行技術文献なし。出願人が知っている先行技術が文献情報ではないため。）
【発明の開示】
【発明が解決しようとする課題】
【０００３】
ところで、上述のような多数の被災者を救援するにあたっては、一人の医師が、各避難所の巡回診療を担当した例では、各避難所は、さながら、野戦病院のように被災者の多い状態にあった。このため、当該医師は、大震災の発生直後から不眠不休で、食事をとる時間もないまま、被災者の治療に専念しなければならず、カルテの記載に必要な物理的・心理的・時間的な余裕を全くもてなかった。また、このような困難な状況では、採取した医療情報の保存や活用も、事実上、不可能であった。以上のようなことは、別の大震災において、被災病院、救護所や避難所の診療医師からも同様に指摘された。
【０００４】
そこで、本発明は、以上のようなことに鑑み、被災地における多数の被災者の電子カルテの作成に工夫を凝らし、医師による多数の被災者の診療等の救急診療支援を円滑に行うようにした救急診療支援電子カルテ装置及びトリアージタグを提供することを目的とする。
【課題を解決するための手段】
【０００５】
上記課題の解決にあたり、本発明に係る救急診療支援電子カルテ装置は、請求項１の記載によれば、
被災者のバイタルサインデータを測定するバイタルサインデータ測定手段（３００ａ〜３００ｃ）と、
操作入力手段、処理手段（４０４）及び表示手段（４００ｂ、４００ｃ）を有する端末（４００）とを備える。
【０００６】
操作入力手段は、医療補助者により操作されて、被災者の特定事項、バイタルサインデータ測定手段で測定したバイタルサインデータに基づき医師により診察された被災者の症状、及び被災者に対する医師の処置内容を処理手段に入力する。
【０００７】
処理手段は、操作入力手段からの被災者の特定事項、被災者の症状及び医師の処置内容を電子カルテに入力して表示手段に出力するように処理する。
【０００８】
表示手段は、電子カルテを表示し、
医師が電子カルテの内容を正しいと確認したときその旨を操作入力手段の操作により入力することで、電子カルテの内容を確定するようにした。
【０００９】
これにより、電子カルテへの入力は、医療補助者によって殆どなされるので、医師は、最終的に、当該医療補助者によって入力された内容の正しさの有無を確認するだけでよい。その結果、医師は、患者の診察に専念できる。よって、医師は、多数の被災者を、効率よく、緊急時に即した状態で、診察し得る。換言すれば、多数の被災者を診察するために、各被災者のデータを電子カルテに入力するための物理的、心理的、時間的な余裕が医師には全くないような状態であっても、当該医師は、余分な作業を行うことなく、多数の被災者の診察に専念し得る。
【００１０】
また、本発明は、請求項２の記載によれば、請求項１に記載の救急診療支援電子カルテ装置において、
保管庫本体（１１０）と、この保管庫本体の上端開口部に開閉可能に設けられる蓋（１２０）とを備え、
前記保管庫本体は、
桐材或いはこの桐材と同様の特性を有する木材に難燃溶液を含浸して形成される外側筐体（１１０ａ）と、この外側筐体内に嵌装されて鉄板或いはこの鉄板と同様の特性を有する金属板で形成してなる中側筐体（１１０ｂ）と、この中側筐体内に嵌装されて木材で形成してなる内側筐体（１１０ｃ）とを備えて、
前記上端開口部を、前記各筐体の全上端開口部でもって構成してなり、
前記蓋は、桐材或いはこの桐材と同様の特性を有する木材に難燃溶液を含浸して形成される中空状枠体（１２０ａ）と、この枠体の上端開口部内に嵌着されてなる蓋壁であって、木材からなる内壁部（１２４）、この内壁部上に積層されて鉄板或いはこの鉄板と同様の特性を有する金属板で形成してなる中壁部（１２５）及びこの中壁部上に積層されて桐材或いはこの桐材と同様の特性を有する木材からなる外壁部（１２６）でもって構成される蓋壁（１２０ｂ）とを備えて、
前記枠体の下端開口部及び前記各筐体の全上端開口部は、それぞれ、互いに気密的に嵌合する嵌合形状に形成されている可搬式保管庫（１００）を具備して、
前記バイタルサインデータ測定手段及び端末は、前記保管庫内に予め保管されていることを特徴とする。
【００１１】
これによれば、保管庫の各構成部材のうち外部に対向する構成部材は、保管庫本体の外側筐体及び蓋である。また、保管庫本体は、外側筐体、中側筐体及び内側筐体の三層構造で構成されているとともに、蓋の蓋壁は、内壁部、中壁部及び外壁部の三層構造で構成されている。
【００１２】
しかも、保管庫本体では、外側筐体が、桐材或いはこの桐材と同様の特性を有する木材で形成され、中側筐体が、鉄板或いはこの鉄板と同様の特性を有する金属板で形成され、内側筐体が木材で形成されている。また、蓋では、枠体及び外壁部が、桐材或いはこの桐材と同様の特性を有する木材で形成され、中壁部が、鉄板或いはこの鉄板と同様の特性を有する金属板で形成され、内壁部が木材で形成されている。
【００１３】
従って、外部から強い衝撃力が保管庫に加わると、この保管庫は、上記三層構造のもとに、外側筐体、枠体や蓋壁の外壁部にて、上記強い衝撃力を外力として受けることになる。
【００１４】
しかし、外側筐体、枠体や蓋壁の外壁部は、上述のごとく、桐材或いはこの桐材と同様の特性を有する木材で形成されている。また、当該木材の厚さが、上述の強い衝撃力を十分にかつ緩やかに緩和吸収し得る厚さであれば、上述の外力は、桐板或いはこの桐材と同様の特性を有する木材からなる外側筐体、枠体や蓋壁の外壁部により、その固有の特性及び板厚でもって、上記外力を受けた部位を中心として応力分散し、良好にかつ緩やかに緩和吸収されて、中側筐体や蓋壁の中壁部に伝わる。従って、当該中側筐体や蓋壁の中壁部が塑性変形したりすることがない。
【００１５】
しかして、上述のように中側筐体や蓋壁の中壁部は木材よりも堅い上記金属板からなることから、上述のように伝わる外力は、中側筐体や蓋壁の中壁部によりさらに急激に緩和吸収されて内側筐体や蓋壁の内壁部に伝わる。
【００１６】
然る後、上述のように内側筐体や蓋壁の内壁部は、木材で形成されているため、上述のように内側筐体や蓋壁の内壁部に伝わる外力は、内側筐体や蓋壁の内壁部により緩和吸収され得る。
【００１７】
以上のような過程を経て、上述の強い衝撃力は、上述の三層構造からなる保管庫本体や蓋によって、良好に緩和吸収され得る。このことは、保管庫が良好な抗堪性を有することを意味する。
【００１８】
また、外側筐体、枠体や蓋壁の外壁部が、上述のごとく、桐材或いはこの桐材と同様の特性を有する木材に難燃溶液を含浸して形成されている。このため、外側筐体、枠体や蓋壁の外壁部は高い温度の耐火性に優れている。従って、火災が発生しても、外側筐体、枠体や蓋壁の外壁部は燃えにくい。
【００１９】
しかも、保管庫本体及び蓋は上述のような三層構造に構成され、かつ、中側筐体及び蓋壁の中壁部は、鉄板或いはこの鉄板と同様の特性を有する金属板で形成されている。このため、外側筐体及び蓋壁の外壁部の高い温度の耐火性と相まって、保管庫の耐火性がさらに向上する。このことは、保管庫は、優れた耐火性を有することを意味する。
【００２０】
また、外側筐体、枠体や蓋壁の外壁部は、上述のごとく、桐材或いはこの桐材と同様の特性を有する木材で形成されている。この木材は、耐湿性に富むという特性を有する。しかも、枠体の下端開口部及び各筐体の全上端開口部は、それぞれ、互いに気密的に嵌合する嵌合形状に形成されている。
【００２１】
このような前提のもと、桐材或いはこの桐材と同様の特性を有する木材がその耐湿性に起因して浸水に対して膨張する特性を発揮することで、外側筐体、枠体や蓋壁の外壁部が浸水に対しても耐水性を良好に発揮し得る。このことは、保管庫が優れた耐水性を有することを意味する。
【００２２】
その結果、当該保管庫に保管済みバイタルサインデータ測定手段及び端末は、当該保管庫によりその抗堪性、耐火性及び耐水性のもと、良好に保管され得る。
【００２３】
また、このように良好に保管してあるバイタルサインデータ測定手段及び端末を用いることで、請求項１に記載の発明と同様の作用効果が達成され得る。
【００２４】
また、本発明は、請求項３の記載によれば、請求項２に記載の救急診療支援電子カルテ装置において、
前記蓋が前記保管庫本体の上端開口部に対し上下方向に傾斜状に回動するように、前記枠体の下端開口部及び前記各筐体の全上端開口部は、その各対応端部にて、互いに支持されており、
前記各筐体の全上端開口部の嵌合形状は、前記内側筐体側から前記外側筐体側にかけて断面階段形状となっており、前記枠体の下端開口部の嵌合形状は、前記内側筐体側から前記外側筐体側にかけて前記断面階段形状とは逆の断面階段形状となっていることを特徴とする。
【００２５】
これにより、蓋と保管庫本体との間の嵌め合わせ部分（嵌合部分）の気密性がより一層具体的に確保され、その結果、請求項２に記載の発明の作用効果がより一層向上され得る。
【００２６】
また、本発明に係るトリアージタグは、請求項４の記載によれば、
請求項１〜３のいずれか１つに記載の救急診療支援電子カルテ装置の前記端末にセットされたとき、前記操作入力手段の操作により前記被災者を特定する氏名及び電話番号を入力されて電子的に記憶する。
【００２７】
これにより、簡易迅速に被災者の特定情報（住所等）を特定できることを目指した災害時のトリアージタグの提供に役立つ。
【００２８】
なお、上記各手段の括弧内の符号は、後述する実施形状に記載の具体的手段との対応関係を示すものであるが、当該実施形状に限定されるものではない。
【発明を実施するための最良の形態】
【００２９】
以下、本発明の一実施形態を図面により説明する。
【００３０】
図１〜図３は、本発明が適用されてなる救急診療支援電子カルテ装置の一実施形態を示している。当該救急診療支援電子カルテ装置は、図１〜図３にて示すごとく、可搬式保管庫１００を備えている。なお、図１において、紙面の手前側及び奥側が、当該救急診療支援電子カルテ装置の前側及び後側に対応する。また、図１において、図示左側及び右側が、当該救急診療支援電子カルテ装置の右側及び左側に対応する。また、保管庫１００の高さは、設置面から約５０ｃｍである。
【００３１】
この保管庫１００は、保管庫本体１１０を有しており、当該保管庫本体１１０は、図４〜図６から分かるように、外側筐体１１０ａ、中側筐体１１０ｂ及び内側筐体１１０ｃでもって構成されている。
【００３２】
外側筐体１１０ａは、四角筒状の周壁１１１の下端開口部を底壁１１２でもって閉じるように構成されている。周壁１１１は、前壁１１１ａ、後壁１１１ｂ、左壁１１１ｃ及び右壁１１１ｄでもって四角筒状となるように接合して構成されている。
【００３３】
ここで、前壁１１１ａは、その左右両側縁部にて、左壁１１１ｃ及び右壁１１１ｄの各前縁部に接着剤でもって接合されている。また、後壁１１１ｂは、各左右両側縁部にて、左壁１１１ｃ及び右壁１１１ｄの各後側縁部に接着剤でもって接合されている。また、底壁１１２は、その外周縁部にて、周壁１１１の下端開口部に接着剤でもって嵌合されている。
【００３４】
本第１実施形態では、周壁１１１の前壁１１１ａ、後壁１１１ｂ、左壁１１１ｃ及び右壁１１１ｄ並びに底壁１１２は、それぞれ、長方形状の桐板にメタルシリコン系難燃溶液を含浸して形成されている。
【００３５】
このように桐板を採用するのは、当該桐板は、桐タンス等に使用されているように、防湿性、耐熱性、軽量性、保温性及び耐衝撃性に富むという固有の特性を有するためである。また、上述のように、桐板にメタルシリコン系難燃溶液を含浸することとしたのは、メタルシリコン系難燃溶液は、その含浸により、桐板に良好な耐熱性を与えるためである。例えば、メタルシリコン系難燃溶液を含浸した桐板は、鉄の溶融温度に近いかなり高い耐熱温度を有し、例えば１２００℃の炎に１０分間晒されても、十分に良好な難燃性を発揮し得る。
【００３６】
また、周壁１１１及び底壁１１２を構成する各桐板としては、外部からの強い衝撃力を良好に緩和或いは吸収することができ、かつ汎用性の高い板厚１２ｍｍの桐板が採用されている。
【００３７】
中側筐体１１０ｂは、外側筐体１１０ａに嵌装されているもので、この中側筐体１１０ｂは、四角筒状周壁１１３の下端開口部を底壁１１４でもって閉じるように構成されている。周壁１１３は、前壁１１３ａ、後壁１１３ｂ、左壁１１３ｃ及び右壁１１３ｄを、四角筒状となるように接合して形成されている。
【００３８】
ここで、当該周壁１１３の前壁１１３ａ、後壁１１３ｂ、左壁１１３ｃ及び右壁１１３ｄは、それぞれ、長方形状の鉄板でもって形成されており、前壁１１３ａは、左右両側縁部にて、左壁１１３ｃ及び右壁１１３ｄの各前縁部にスポット溶接でもって接合されている。また、後壁１１３ｂは、左右両側縁部にて、左壁１１３ｃ及び右壁１１３ｄの各後側縁部にスポット溶接でもって接合されている。なお、周壁１１３の上端面１１３ｅ（中側筐体１１０ｂの上端開口部の開口端面）は、周壁１１１の上端面１１１ｅ（外側筐体１１０ａの上端開口部の開口端面）と同一の面内に位置する。
【００３９】
底壁１１４は、長方形状の鉄板でもって形成されており、この底壁１１４は、その外周縁にて、周壁１１３の下端開口部にスポット溶接でもって接合して嵌合されている。なお、周壁１１３及び底壁１１４を構成する各鉄板としては、汎用性の高い板厚１．２ｍｍの鉄板が採用されている。
【００４０】
内側筐体１１０ｃは、中側筐体１１０ｂに嵌装されているもので、この内側筐体１１０ｃは、四角筒状周壁１１５の下端開口部を底壁１１６でもって閉じるように構成されている。
【００４１】
周壁１１５は、前壁１１５ａ、後壁１１５ｂ、左壁１１５ｃ及び右壁１１５ｄを、四角筒状となるように接合して形成されている。ここで、前壁１１５ａは、左右両側縁部にて、左壁１１５ｃ及び右壁１１５ｄの各前側縁部に接着剤でもって接合されている。また、後壁１１５ｂは、左右両側縁部にて、左壁１１５ｃ及び右壁１１５ｄの各後側縁部に接着剤でもって接合されている。また、底壁１１６は、その外周縁部にて、周壁１１５の下端開口部内に接着剤でもって接合されている。
【００４２】
また、内側筐体１１０ｃの周壁１１５は、その上端面１１５ｅ（内側筐体１１０ｃの上端開口部の開口端面）にて、中側筐体１１０ｂの周壁１１３の上端面１１３ｅ（中側筐体１１０ｂの上端開口部の開口端面）よりも上方に突出している。このことは、周壁１１５の上端面１１５ｅが、周壁１１３の上端面１１３ｅよりも上方に位置することを意味する。これにより、各周壁１１１、１１３及び１１５の上端面（各周壁１１１、１１３及び１１５の全上端開口部の上端面）が、全体として、図４〜図６にて例示するような断面階段状に形成される。
【００４３】
但し、周壁１１５において、上端面１１５ｅは、図４〜図６にて例示するごとく、周壁１１３の上端面１１３ｅから上方へかつ内方に向け傾斜状に形成されて、傾斜面１１５ｆとなっている。なお、保管庫本体１１０の上端開口部の開口端面が、周壁１１１の上端面１１１ｅ、周壁１１３の上端面１１３ｅ及び周壁１１５の上端面１１５ｅでもって構成される。
【００４４】
また、本第１実施形態では、周壁１１５の前壁１１５ａ、後壁１１５ｂ、左壁１１５ｃ及び右壁１１５ｄ並びに底壁１１６は、それぞれ、長方形状の杉板により形成されている。このように杉板を採用したのは、杉板が、桐板に準ずるような木材としての特性を有し、かつ当該桐板よりも曲げ応力に強く低コストであるためである。また、周壁１１５及び底壁１１６を構成する各杉板としては、汎用性の高い板厚１２ｍｍの杉板が採用されている。
【００４５】
また、保管庫本体１１０は、４つのキャスター１１０ｄを備えており、これら各キャスター１１０ｄは、それぞれ、外側筐体１１０ａの底壁１１２の四隅に装着されている。
【００４６】
当該保管庫１００は、外蓋１２０及び内蓋１３０を備えており、これら外蓋１２０及び内蓋１３０は、保管庫本体１１０の開口部を開閉する２重蓋構造を構成する。
【００４７】
外蓋１２０は、四角環状枠体１２０ａの中空部内に四角板状の蓋壁１２０ｂを嵌着して構成されており、この外蓋１２０は、図４にて示すごとく、枠体１２０ａの右端部にて、蝶番１２０ｃを介し、外側筐体１１０ａの右壁１１１ｄの上端部に上下方向に傾斜状に開閉可能に支持されている。
【００４８】
枠体１２０ａは、前後左右の枠板部を接着剤でもって四角環状に接着して形成されている。当該枠体１２０ａの各枠板部は、桐板にメタルシリコン系難燃溶液を含浸して形成されており、枠体１２０ａの下端面は、図４〜図６にて示すごとく、周壁１１１、１１３及び１１５の各上端面の全体としての断面階段形状とは、逆の断面階段形状となるように形成されている。詳細には、枠体１２０ａの下端面（枠体１２０ａ或いは外蓋１２０の下端開口部の下端面）は、周壁１１１、１１３の各上端面に接合する外側端面１２１、周壁１１５の傾斜面１１５ｆに接合する傾斜端面１２２及び周壁１１５の上端面に接合する内側端面１２３でもって構成されている。これは、枠体１２０ａの下端面を周壁１１１、１１３及び１１５の各上端面に気密的かつ液密的に一様に接合させるためである。換言すれば、枠体１２０ａ（外蓋１２０）の下端開口部を保管庫本体１１０の上端開口部に気密的かつ液密的に嵌合させるためである。
【００４９】
蓋壁１２０ｂは、図４〜図６にて示すごとく、内壁部１２４、中壁部１２５及び外壁部１２６を順次積層して構成されており、中壁部１２５は、内壁部１２４上に接着剤でもって接着されている。また、外壁部１２６は、中壁部１２５上に接着剤でもって接着されている。また、内壁部１２４、中壁部１２５及び外壁部１２６は、その各外周端面にて、枠体１２０ａの中空部内面に接着剤でもって接着されている。
【００５０】
なお、外壁部１２６は、厚さ１２ｍｍの桐板にメタルシリコン系難燃溶液を含浸して形成されている。また、中壁部１２５は、板厚１．２ｍｍの鉄板でもって形成されている。また、内壁部１２４は、板厚１２ｍｍの杉板でもって形成されている。
【００５１】
内蓋１３０は、桐板で形成されており、この内蓋１３０は、図５にて示すごとく、基端部１３１にて、蝶番１３０ａを介し、周壁１１５の左壁１１５ｃの上端部に上下方向に開閉可能に支持されている。また、内蓋１３０は、閉じたとき、図１〜図４にて示すごとく、その先端部１３２にて、長手状の受け部材１１７上に支持されるようになっている。ここで、長手状の受け部材１１７は、周壁１１５の右壁１１５ｄの上端部の内面に沿い前後方向に固着されている。
【００５２】
蝶番１３０ａは、両金属板１３３、１３４を金属ロッド１３５に回動可能に連結してなるもので、金属板１３３は、周壁１１５の左壁１１５ｃの上端部の内面に沿い前後方向に装着されている。
【００５３】
また、金属板１３４は、金属ロッド１３５から内蓋１３０の基端部１３１に向けて延出してなるもので、この金属板１３４は、各周壁１１１、１１３及び１１５の上端面に一様に当接するような断面階段形状に形成されている。
【００５４】
具体的には、金属板１３４は、基板部１３４ａ、内板部１３４ｂ、傾斜板部１３４ｃ及び外板部１３４ｄでもって構成されている。基板部１３４ａは、金属ロッド１３５から回動可能に延出している。内板部１３４ｂ、傾斜板部１３４ｃ及び外板部１３４ｄは、内板部１３４ｂから外板部１３４ｄにかけて、左壁１１５ｃ、１１３ｃ及び１１１ｃの各上端面に一様に当接するように、断面階段状に形成されている。
【００５５】
換言すれば、基板部１３４ａを金属板１３３に沿わせるように金属板１３４を回動させたとき、内板部１３４ｂ、傾斜板部１３４ｃ及び外板部１３４ｄが、それぞれ、左壁１１５ｃ、１１３ｃ及び１１１ｃの各上端面に一様に当接するように、金属板１３４の断面形状が、断面階段状に形成されている。なお、金属板１３３、１３４及び金属ロッド１３５は、鉄でもって形成されている。
【００５６】
また、保管庫１００は、両ストッパー部材１４０及び支持体１５０を備えている。両ストッパー部材１４０は、長手状のもので、これら両ストッパー部材１４０は、図２にて示すごとく、内蓋１３０の対角線方向に沿い互いに平行となるように、内蓋１３０の外面１３６上に突設されている。
【００５７】
支持体１５０は、図２或いは図３にて示すごとく、支持板１５０ａと、キャスター１５０ｂとを備えており、支持板１５０ａは、その基端部にて、蝶番１５０ｃを介し、外側筐体１１０ａの左壁１１１ｃの後端部に横方向に回動可能に支持されている。なお、支持板１５０ａは、両ストッパー部材１４０の各対向面の間隔よりも幾分狭い板厚を有する。
【００５８】
キャスター１５０ｂは、図１及び図３にて示すごとく、支持板１５０ａの基端部から離れた位置にて当該支持板１５０ａの下端部に取り付けられている。これにより、支持板１５０ａは、設置面上においてキャスター１５０ｂにより横方向に回動可能に支持される。
【００５９】
また、当該救急診療支援電子カルテ装置は、図１にて示すごとく、保管庫１００内に収納してなるカメラ２００、診療用測定器３００、端末４００及び電源５００を備えている。
【００６０】
カメラ２００は、患者の患部を撮影して、この患者の画像を画像データとして取得するために用いられる。診療用測定器３００は、血圧計３００ａ、体温計３００ｂ及び心拍計３００ｃからなるもので、これら血圧計３００ａ、体温計３００ｂ及び心拍計３００ｃは、患者の血圧、体温及び心拍を測定するために用いられる。なお、ハブ３００ｄが、血圧計３００ａ、体温計３００ｂ及び心拍計３００ｃ並びにカメラ２００及びプリンター６００（後述する）を端末４００に接続する中継素子として、電源ケーブルＣ１及び接続ケーブルＣ２と共に、診療用測定器３００に含まれている。
【００６１】
端末４００は、携帯型パーソナルコンピュータからなるもので、この端末４００は、図１にて示すごとく、内蓋１３０の下面に保管庫本体１１０内から着脱可能に取り付けられている。
【００６２】
当該端末４００は、カメラ２００及び診療用測定器３００に接続することにより、カメラ２００により取得された画像データ及び診療用測定器３００により計測された血圧、心拍、体温を診断データとして取得し、これらの診断データを液晶パネルの画面に表示する。
【００６３】
電源５００は、保管庫１００の底部内に収納してなるもので、この電源５００は、カメラ２００、診療用測定器３００、端末４００及びプリンター６００に接続されて電力を供給する。なお、電源５００は、当該救急診療支援電子カルテ装置に専用の電源である。
【００６４】
また、当該救急診療支援電子カルテ装置は、図１にて示すごとく、保管庫１００に収納してなるプリンター６００及び緊急医療品収納箱７００を備えている。プリンター６００は、端末４００による制御のもと、その出力データを印刷する。緊急医療品収納箱７００には、緊急時に必要とされる包帯、注射器や医薬品（降圧剤、風邪薬、傷薬等）等が収納されている。
【００６５】
以上のように構成した本第１実施形態において、大震災が、ある地域（以下、被災地ともいう）において発生すれば、医療機関の建物が倒壊しなくても、例えば、当該建物内の戸棚その他の什器が地震の揺れでもって転倒することが多い。
【００６６】
ここで、当該救急診療支援電子カルテ装置が、上記大震災の発生前において、保管庫１００を外蓋１２０によりきちんと閉めた状態にて、予め、上記被災地の医療機関の建造物内に配備されているものとする。このような状態では、外蓋１２０の下端開口部が保管庫本体１１０の上端開口部（各筐体１１０ａ、１１０ｂ及び１１０ｃの周壁の全上端開口部）に気密的かつ液密的に嵌合している。
【００６７】
例えば、上述のような戸棚の転倒に伴い当該戸棚が当該救急診療支援電子カルテ装置に当たると、この救急診療支援電子カルテ装置は、戸棚から強い衝撃力を外力として受ける。
【００６８】
ここで、当該救急診療支援電子カルテ装置の保管庫１００の各構成部材のうち外部に対向する構成部材は、上述した構成から分かるように、保管庫本体１１０の外側筐体１１０ａ及び外蓋１２０である。また、保管庫本体１１０は、外側筐体１１０ａ、中側筐体１１０ｂ及び内側筐体１１０ｃの三層構造で構成されているとともに、外蓋１２０は、枠体１２０ａと、蓋壁１２０ｂである内壁部１２４、中壁部１２５及び外壁部１２６の三層構造とで構成されている。
【００６９】
従って、保管庫１００は、上記三層構造のもとに、外側筐体１１０ａ、枠体１２０ａや蓋壁１２０ｂの外壁部１２６にて、上述した戸棚からの強い衝撃力である外力を受けることになる。
【００７０】
ここで、保管庫本体１１０では、外側筐体１１０ａ、中側筐体１１０ｂ及び内側筐体１１０ｃが、それぞれ、桐板、鉄板及び杉板で形成され、外蓋１２０では、枠体１２０ａ及び、外壁部１２６が、それぞれ、桐板で形成され、中壁部１２５及び内壁部１２４が、それぞれ、鉄板及び杉板で形成されている。
【００７１】
また、桐板は、１２ｍｍという板厚を有し、上述の強い衝撃力を分散して十分にかつ緩やかに緩和吸収し得る。このため、上述の外力は、桐板からなる外側筐体１１０ａ、枠体１２０ａや蓋壁１２０ｂの外壁部１２６により、上記外力を受けた部位を中心として、桐板の固有の特性及び桐板の板厚でもって良好にかつ緩やかに緩和吸収されて、中側筐体１１０ｂや蓋壁１２０ｂの中壁部１２５に伝わる。このとき、外側筐体１１０ａ、枠体１２０ａや蓋壁１２０ｂの外壁部１２６が、鉄よりも柔らかい木材で形成されているため、中側筐体１１０ｂ、枠体１２０ａや蓋壁１２０ｂの中壁部１２５が塑性変形したりすることがない。
【００７２】
しかして、上述のように中側筐体１１０ｂや蓋壁１２０ｂの中壁部１２５は木材よりも堅い鉄板からなることから、上述のように伝わる外力は、分散され、中側筐体１１０ｂや蓋壁１２０ｂの中壁部１２５によりさらに急激に緩和吸収されて内側筐体１１０ｃや蓋壁１２０ｂの内壁部１２４に伝わる。なお、中側筐体１１０ｂや蓋壁１２０ｂの中壁部１２５を形成する鉄の板厚は、上述のごとく、１．２ｍｍであるが、この板厚は、桐板からなる外側筐体１１０ａや蓋壁１２０ｂの外壁部１２６でもって上述のように緩和吸収された外力を緩和吸収するには十分である。
【００７３】
然る後、内側筐体１１０ｃや蓋壁１２０ｂの内壁部１２４は、上述のように、桐板に準ずる木材としての特性を有する杉板で形成されており、曲げ応力に強い特性を有するため、上述のように内側筐体１１０ｃや蓋壁１２０ｂの内壁部１２４に伝わる外力は、内側筐体１１０ｃや蓋壁１２０ｂの内壁部１２４により緩和吸収され得る。
【００７４】
以上のような過程を経て、上述の強い衝撃力は、上述の三層構造からなる保管庫本体１１０や外蓋１２０によって、良好に緩和吸収され得る。このことは、保管庫１００が良好な抗堪性を有することを意味する。従って、医療機関の建物内にある医療機器やコンピュータ等の支援機器が地震の影響を直接受けて破壊されて使用不能となっても、保管庫１００に収納してあるカメラ２００、診療用測定器３００、端末４００、電源５００、プリンター６００及び緊急医療品収納箱７００は、保管庫１００により上記外力から良好に使用可能に保護され得る。
【００７５】
また、上述のような大震災の発生に伴い医療機関の建物内に火災が発生すると、当該建物内の医療機器やコンピュータ等の支援機器が直接火災の影響を受けて焼失し、使用不能となることが多い。
【００７６】
しかし、当該救急診療支援電子カルテ装置においては、外側筐体１１０ａ、枠体１２０ａや蓋壁１２０ｂの外壁部１２６が、上述のごとく、桐板にメタルシリコン系難燃溶液を含浸して形成されている。このため、外側筐体１１０ａ、枠体１２０ａや蓋壁１２０ｂの外壁部１２６は高い温度の耐火性に優れている。従って、上述のように医療機関の建物内に火災が発生しても、外側筐体１１０ａ、枠体１２０ａや蓋壁１２０ｂの外壁部１２６は燃えにくい。
【００７７】
しかも、保管庫本体１１０及び外蓋１２０の蓋壁１２０ｂは上述のような三層構造に構成され、かつ、中側筐体１１０ｂ及び蓋壁１２０ｂの中壁部１２５は、鉄で形成されている。このため、外側筐体１１０ａ及び蓋壁１２０ｂの外壁部１２６の高い温度の耐火性と相まって、保管庫１００の耐火性がさらに向上する。このことは、保管庫１００は、優れた耐火性を有することを意味する。
【００７８】
その結果、上述のように医療機関の建物内の医療機器やコンピュータ等の支援機器が直接火災の影響を受けて焼失して使用不能となっても、保管庫１００に収納してあるカメラ２００、診療用測定器３００、端末４００、電源５００、プリンター６００及び緊急医療品収納箱７００は、火災の影響を受けることなく、保管庫１００により良好に使用可能に保護され得る。
【００７９】
また、上述のような大震災の発生に伴いビル建物の液状化現象で浸水したり上記被災地に津波が発生して医療機関の建物が浸水すると、当該建物内の医療機器やコンピュータ等の支援機器が直接浸水して、使用不能となることが多い。
【００８０】
しかし、当該救急診療支援電子カルテ装置においては、外側筐体１１０ａ、枠体１２０ａや蓋壁１２０ｂの外壁部１２６は、上述のごとく、桐板で形成されている。この桐板は、上述のごとく耐湿性に富むという特性を有する。しかも、外側筐体１１０ａの隣り合う各両壁の接合（左右両壁と前壁及び後壁との間の接合）は、接着剤でもって良好に確保されている。また、外蓋１２０の枠体１２０ａの下端開口部の保管庫本体１１０の上端開口部に対する嵌め合わせ（外側筐体１１０ａ、中側筐体１１０ｂ及び内側筐体１１０ｃの各上端開口部からなる全上端開口部に対する嵌合）は、上述のような枠体１２０ａ及び保管庫本体１１０の上端開口部（上記全上端開口部）の開口端面の各断面階段形状でもって、気密的かつ液密的に良好に確保されている。
【００８１】
このような前提のもと、桐板がその耐湿性に起因して浸水に対して膨張する特性を発揮することで、外側筐体１１０ａ、枠体１２０ａや蓋壁１２０ｂの外壁部１２６が浸水に対しても耐水性を良好に発揮し得る。このことは、保管庫１００が優れた耐水性を有することを意味する。
【００８２】
その結果、上述のように医療機関の建物内の医療機器やコンピュータ等の支援機器が直接浸水して、使用不能となっても、保管庫１００に収納してあるカメラ２００、診療用測定器３００、端末４００、電源５００、プリンター６００及び緊急医療品収納箱７００は、浸水の影響を受けることなく、保管庫１００により良好に使用可能に保護され得る。
【００８３】
以上述べたように、当該救急診療支援電子カルテ装置の保管庫１００は、抗堪性、耐火性及び耐水性に優れるため、大震災による地震、火災、津波に起因して、つぶれたり、焼失したり、水の浸入を許したりすることがなく、当該保管庫１００は、カメラ２００、診療用測定器３００、端末４００、電源５００、プリンター６００及び緊急医療品収納箱７００を良好に保護し得る。このことは、当該救急診療支援電子カルテ装置は、上記大震災にもかかわらず、良好な使用可能状態に維持されることを意味する。
【００８４】
上述のように大震災が発生すると、上記被災地では、道路の寸断、橋の破壊、家屋の倒壊等の種々の被害が発生し、多数の被災者が発生することが多い。これら被災者は、上述の被害の発生のために外傷を負ったり、心身の疲労によりさらに疾患になったりする。
【００８５】
しかし、当該救急診療支援電子カルテ装置は、上述のごとく、大震災にもかかわらず、良好な使用可能状態に維持されている。ここで、保管庫１００の高さは５０ｃｍ程度で扱い易い。また、保管庫１００の保管庫本体１１０では、外側筐体１１０ａ、枠体１２０ａや蓋壁１２０ｂの外壁部１２６が、木材のうちで最も軽いといわれる桐板で形成され、内側筐体１１０ｃや蓋壁１２０ｂの内壁部１２４が杉板で形成されており、中側筐体１１０ｂや蓋壁１２０ｂの中壁部１２５が、１．２ｍｍの薄い鉄で形成されているにすぎない。このため、保管庫１００、ひいては当該救急診療支援電子カルテ装置は、非常に軽い。しかも、保管庫１００が各キャスター１１０ｄを備えている。よって、当該救急診療支援電子カルテ装置は容易に持ち上げたり移動させたりすることができる。
【００８６】
従って、医療機関の建物内における診療が、上述の大震災の発生のために困難であっても、当該救急診療支援電子カルテ装置を、上記建物から容易に取り出して、多数の被災者の避難所に移動させることができる。
【００８７】
しかして、このように当該救急診療支援電子カルテ装置を、上記建物から容易に取り出して、上記避難所に移動させた後は、次のようにして当該救急診療支援電子カルテ装置を使用可能状態におく。
【００８８】
まず、外蓋１２０の一部を把持して、当該外蓋１２０を、持ち上げて、図７にて二点差線で示すごとく、蝶番１２０ｃを基準に上方に回動させて開く。このとき、内蓋１３０は、保管庫１００の開口部を閉じた状態にある。このため、保管庫１００に収納してあるカメラ２００、診療用測定器３００、端末４００、電源５００、プリンター６００及び緊急医療品収納箱７００は、内蓋１３０により外部から適切に保護され得る。
【００８９】
上述のように外蓋１２０を開いた後、支持板１５０ａを、各キャスター１５０ｂを案内として、蝶番１５０ｃを基準に外側筐体１１０ａの左壁１１１ｃから横方向に約４５°だけ回動させる（図７及び図８参照）。
【００９０】
ついで、内蓋１３０を、その一部を把持して、保管庫本体１１０の開口部内から蝶番１３０ａを基準に回動させて支持板１５０ａの上端部上に載置する。この載置は、支持板１５０ａの上端部を内蓋１３０の両ストッパー部材１４０の間に挿入させるように行う。
【００９１】
このとき、蝶番１３０ａは、上述のように断面階段状に形成した基板部１３４ａ、内板部１３４ｂ、傾斜板部１３４ｃ及び外板部１３４ｄでもって、上述のように断面階段状に形成した内側筐体１１０ｃの周壁１１５の上端面１１５ｅ及び傾斜面１１５ｆ、中側筐体１１０ｂの周壁１１３の上端面１１３ｅ並びに外側筐体１１０ａの周壁１１１の上端面１１１ｅに一様に密接するようにして、外板部１３４ｄにて外方に向け延出する。
【００９２】
これにより、内蓋１３０は、蝶番１３０ａの外板部１３４ｄでもって、図７〜図９にて示すごとく、支持板１５０ａの上端部上に相対的に移動不能に、かつ外側筐体１１０ａの底壁１１２とほぼ平行に支持され得る。このとき、内蓋１３０の裏面に固定した端末４００は、内蓋１３０上に固定された状態で位置する。
【００９３】
ここで、端末４００の構成について説明すると、当該端末４００は、図１０にて示すごとく、制御回路４００ａ、駆動回路４００ｂ及び液晶パネル４００ｃ（以下、ＬＣＤ４００ｃともいう）の他、キーボードやマウス（図示しない）を備えている。なお、キーボードやマウスは、本発明の操作入力手段に対応する。
【００９４】
制御回路４００ａは、図１０にて示すごとく、バスライン４０１を介し接続した入力側インターフェース４０２（以下、入力側Ｉ／Ｆ４０２ともいう）、入力側Ｉ／Ｆ４０３、ＣＰＵ４０４、ＲＯＭ４０５、ＲＡＭ４０６及びＩ／Ｆ４０７を備えている。
【００９５】
しかして、ＣＰＵ４０４は、図１１にて示すフローチャートにより特定されるコンピュータプログラムを実行し、後述のような種々の演算処理を行う。なお、上記コンピュータプログラムは、ＣＰＵ４０４により読み出し可能にＲＯＭ４０５に予め記憶されている。
【００９６】
ＬＣＤ４００ｃは、ＣＰＵ４０４により駆動回路４００ｂを介し駆動制御されて、画面４１０（図１２〜図１６参照）にて、表示データを表示する。
【００９７】
上述のように端末４００を内蓋１３０上に固定された状態で位置させた後、カメラ２００、診療用測定器３００、電源５００、プリンター６００及び緊急医療品収納箱７００を保管庫本体１１０から取り出す。
【００９８】
そして、電源５００を、図１０にて示すごとく、カメラ２００、血圧計３００ａ、体温計３００ｂ、心拍計３００ｃ、プリンター６００、端末４００（制御回路４００ａ、駆動回路４００ｂ及びＬＣＤ４００ｃ）に電源ケーブルＣ１を介し接続する。また、カメラ２００、血圧計３００ａ、体温計３００ｂ、心拍計３００ｃ、プリンター６００をハブ３００ｄ及び接続ケーブルＣ２でもって制御回路４００ａのＵＳＢポート４０８に接続する。なお、ＵＳＢポート４０８は、Ｉ／Ｆ４０２に接続されている。
【００９９】
以上により、当該救急診療支援電子カルテ装置は使用可能状態となる。また、制御回路４００ａのカードスロット４０９には、ＩＣタグからなるトリアージタグ８００が挿入接続されるようになっている。ここで、トリアージタグ８００は、電子メモリを内蔵したもので、このトリアージタグ８００は、その電子メモリ（例えば、ＥＰＲＯＭ）にデータを記憶させる。なお、カードスロット４０９は、Ｉ／Ｆ４０３に接続されている。
【０１００】
このように当該救急診療支援電子カルテ装置は使用可能状態においた後、制御回路４００ａを作動状態におけば、ＣＰＵ４０４は、図１１のフローチャートに従い、上記コンピュータプログラムの実行を開始する。ついで、ステップ１０００において、画面表示処理がなされる。この画面表示処理では、ＬＣＤ４００ｃが、ＣＰＵ４０４による制御のもと、駆動回路４００ｂにより駆動されて、画面４１０上に初期データを表示する。ここでは、初期データとして、災害時救急電子カルテ（以下、電子カルテともいう）のブランクフォームが表示される。本実施形態において、当該電子カルテのブランクフォームは、図１２にて示すもので、当該ブランクフォームは、ＲＯＭ４０５に予め記憶されている。なお、図１２にて示す破線の四角領域は、後述する患部の画像Ｇを貼り付ける箇所を示す。
【０１０１】
また、上述のように当該救急診療支援電子カルテ装置を使用可能状態におくのに併せて、医師及びこの医師に付き添う看護士、事務職員或いはボランティア（以下、医療補助者という）が上記避難所に来訪すると、「体調の悪い方は申し出てください」とのアナウンスがなされる。
【０１０２】
また、血圧計３００ａ、体温計３００ｂ、心拍計３００ｃ及びカメラ２００を上記医療補助者に渡す。すると、この医療補助者は、申し出者（重傷患者）の血圧、体温及び心拍を血圧計３００ａ、体温計３００ｂ及び心拍計３００ｃを用いて順次測定する。また、上記申し出者に外傷等の患部があれば、上記医療補助者は、カメラ２００を用いて、上記申し出者の患部を撮影する。なお、当該申し出者のトリアージタグ８００を制御回路４００ａのカードスロット４０９にセットしておく。
【０１０３】
上述のようにステップ１０００における表示処理をした後、ステップ１１００において、バイタルサインデータ及び画像データの入力処理がなされる。具体的には、上述のようにして測定された上記申し出者の血圧、体温及び心拍並びにカメラ２００により撮影された患部を表す画像データは、ステップ１１００において、順次、ハブ３００ｄ、ＵＳＢポート４０８、Ｉ／Ｆ４０２及びバスライン４０１を介しＲＡＭ４０６に入力記憶される。なお、上述の血圧、体温及び心拍が、それぞれ、バイタルサインデータに相当する。また、上記バイタルサインとは、被災者の生きている状態を示す指標で、当該被災者の体温、脈拍や血圧等をいう。
【０１０４】
上述のように上記医療補助者による測定及び撮影が終了すると、医師が上記申し出者を診察する。このとき、当該申し出者の現在の症状、氏名、年齢、住所、持病の有無やアレルギーの有無について当該申し出者から聴取する。
【０１０５】
その後、医師は、上記医療補助者からの上記申し出者の血圧、体温及び心拍や患部の状況等について報告を受けて、例えば血圧が高ければ、緊急医療品収納箱７００内の降圧剤を上記申し出者に与えるとともに服用方法を指示する。
【０１０６】
上述のステップ１１００における入力処理が上記申し出者について全て終了すると、ステップ１２００においてＹＥＳと判定される。これに伴い、ステップ１２１０において、患者の特定表示処理がなされる。具体的には、上記医療補助者が、上述の医師による上記申し出者に対する聴取事項を、当該医師から聞いて、端末４００のキーボードの操作により、入力する。また、上記医療補助者は、上記キーボードの操作により、上記避難所名を「○○○○○○○小学校」と入力し、担当医師を「××××」と入力し、診察日を「○○○○年○○月○○日」と入力し、上記申し出者の氏名及び性別を「□□□□  □」として入力し、当該申し出者の生年月日を「○○○○年○○月○○日」として入力し、当該申し出者の住所を「××××××」と入力する。なお、当該申し出者の氏名及び住所は、劣悪な環境の避難所では請求困難な医療費を後日請求するのに役立つ。
【０１０７】
また、上記医療補助者は、上記キーボードの操作により、上記申し出者の所有するトリアージタグ（トリアージタグ８００であるものとする）を、例えば、赤色（図１３にて図示斜線参照）のトリアージタグとして入力し、「最優先治療」と入力する。これは、赤色のトリアージタグの所有者は、重傷患者であって最優先に治療を必要とするためである。また、上記医療補助者は、上記キーボードの操作により、自己の氏名を、介添者として、「△△△△」と入力する。
【０１０８】
以上のような操作入力に伴い、ＬＣＤ４００ｃは、駆動回路４００ｂを介し、ＣＰＵ４０４により制御されて、図１３にて示すごとく、画面４１０にて、上記申し出者の特定事項を表示する。
【０１０９】
ステップ１２１０における処理の後、ステップ１２２０において、症状データ入力表示処理がなされる。具体的には、上記医療補助者が、医師から上記申し出者の症状を聞いて、上記キーボードの操作により、意識を「正常」と入力し、体温を「３７．７℃」と入力し、血圧を「１８０−１１０」と入力し、上記申し出者の患部を表す画像データを、患部の画像Ｇとして入力する。このとき、当該患部が大腿部骨折の状態にあれば、「大腿部骨折」と入力する。
【０１１０】
以上のような症状データの操作入力に伴い、ＬＣＤ４００ｃは、駆動回路４００ｂを介し、ＣＰＵ４０４により制御されて、図１４にて示すごとく、画面４１０にて、上記申し出者の症状データを表示する。
【０１１１】
ステップ１２２０の処理が上述のように終了すると、ステップ１２３０において、トリアージタグへの患者名及びバイタルサインデータ出力処理がなされる。ここでは、トリアージタグ８００に対し、上記申し出者の血圧、体温及び脈拍がバイタルサインデータとして出力される。これに伴い。当該バイタルサインデータが、トリアージタグ８００に記憶される。このことは、現段階における上記大震災の被災者（上記申し出者）のバイタルサインデータがトリアージタグ８００に保存されたことを意味する。
【０１１２】
上述のように降圧剤を上記申し出者に与えるとともに服用方法を指示した後、医師は、上記申し出者の怪我（具体的には、上記大腿部骨折）に対する外科的処置を行う。また、上記申し出者が、不眠や不安の精神症状を有するときには、医師は、緊急医療品収納箱７００内の睡眠剤や抗不安剤を当該申し出者に与える。また、上記申し出者が、不眠や不安の精神症状ではなく、風邪症状を有するときには、医師は、聴打診や咽頭、鼻腔、外耳の検査を行い、緊急医療品収納箱７００内の抗生剤を上記申し出者に与える。
【０１１３】
ステップ１２３０の処理後、ステップ１３００において、処置内容入力表示処理がされる。具体的には、上記医療補助者が、上記キーボードやマウスの操作により、医師から聴取した処置内容を入力する。例えば、処置内容が、「大腿部骨折治療」及び「大量出血止血」であれば、これらの「大腿部骨折治療」及び「大量出血止血」の画面４１０上の各チェックボックス（図１５参照）を上記マウスによりクリックする。
【０１１４】
また、上記医療補助者は、上述の処置内容の入力に併せて、医師から聴取した医師所見を入力する。例えば、医師所見が、「全く眠れない」、「不安」及び食事が「摂取なし」ということであれば、記医療補助者は、画面４１０上の「全く眠れない」、「不安」及び「摂取なし」の各チェックボックスを上記マウスによりクリックする。
【０１１５】
以上のような処置内容及び医師所見の操作入力に伴い、ＬＣＤ４００ｃは、駆動回路４００ｂを介し、ＣＰＵ４０４により制御されて、図１５にて示すごとく、画面４１０にて、上記申し出者に対する処置内容及び医師所見を表示する。
【０１１６】
然る後、ステップ１４００において、各ステップ１２１０、１２２０、１３００にて入力した後の電子カルテの表示処理がなされる。この表示処理に伴い、ＬＣＤ４００ｃは、駆動回路４００ｂを介し、ＣＰＵ４０４により制御されて、図１６にて示すごとく、画面４１０にて、上記申し出者の電子カルテを表示する。この電子カルテには、上記申し出者に関し、上記医療補助者によって各ステップ１２１０、１２２０、１３００にて入力されたデータが表示されている。これに伴い、医師が当該電子カルテの内容に誤りがないかにつき確認し得る。
【０１１７】
しかして、当該電子カルテの内容に誤りがなく正しければ、上記医療補助者ではなく、医師が、上記キーモードの操作でもって、「ＯＫ」と入力することで、ステップ１５００における判定がＹＥＳとなる。これにより、電子カルテに対する記入が実質的に医師によるなされたこととして認識され得る。
【０１１８】
一方、当該電子カルテの内容に誤りがあれば、医師はその旨を上記医療補助者に伝える。これに伴い、当該医療補助者が、上記キーモードの操作でもって、「ＮＧ」と入力すると、ステップ１５００においてＮＯと判定される。
【０１１９】
然る後は、上記医療補助者は、表示されている電子カルテ上にて、各ステップ１２１０、１２２０、１３００にて入力されたデータを再確認する。そして、誤りがある入力データに関しては、上記医療補助者が、上記キーボードやマウスでもって、正しく再入力する。従って、ステップ１４００において表示済みの電子カルテの内容が是正される。
【０１２０】
これに伴い、医師が、再度電子カルテの内容を確認し、上記キーボードの操作により、「ＯＫ」と入力すれば、ステップ１５００における判定はＹＥＳとなる。
【０１２１】
以上のようにして、上記申し出者の電子カルテの作成が終了すると、ステップ１６００において、上記処置内容のトリアージタグへの出力処理がなされる。このため、ステップ１３００で入力済みの上記処置内容がトリアージタグ８００に出力されて記憶される。これにより、上記申し出者の処置内容が確実にトリアージタグ８００に保存され得るので、その後の治療に有効である。
【０１２２】
また、ステップ１６００の処理後、次のステップ１７００において、上記処置内容のプリンターへの出力処理がなされる。このため、ステップ１３００で入力済みの上記処置内容がプリンター６００に出力されて印刷される。この印刷結果を上記申し出者に渡すことで、上記申し出者は、上記処置内容を確認し得る。
【０１２３】
以上説明したように、電子カルテへの入力は、上記医療補助者によって殆どなされるので、医師は、最終的に、当該医療補助者によって入力された内容の正しさの有無を確認するだけでよい。その結果、医師は、患者の診察に専念できる。よって、医師は、上記申し出者の他の多数の被災者を、効率よく、緊急時に即した状態で、診察し得る。換言すれば、多数の被災者を診察するために、各被災者のデータを電子カルテに入力するための物理的、心理的、時間的な余裕が医師には全くないような状態であっても、当該医師は、余分な作業を行うことなく、多数の被災者の診察に専念し得る。
【０１２４】
ここで、電源５００は、当該救急診療支援電子カルテ装置に専用の電源として装備されているので、商用電源が、当該救急診療支援電子カルテ装置の近くになかったり、大震災のために使用不能となっていても、これにかかわりなく、当該電源５００の利用により、カメラ２００による撮影や血圧計３００ａ、体温計３００ｂ及び心拍計３００ｃによる測定が可能である。
【０１２５】
また、緊急医療品収納箱７００には、緊急時に必要とされる包帯、注射器や医薬品（降圧剤、風邪薬、傷薬等）等が収納されているので、医師や上記医療補助者が別途準備する必要もなく、医師による円滑な治療が可能である。
【０１２６】
また、外蓋１２０を蝶番１２０ｃを基準に回動させて、保管庫本体１１０を外蓋１２０との嵌合により閉じれば、外蓋１２０は、診療に必要な作業台として使用できて、便利である。このとき、当該救急診療支援電子カルテ装置の高さは５０ｃｍ程度であることから、外蓋１２０及び内蓋１３０は、共に、５０ｃｍ程度の高さにあるので、外蓋１２０を作業台として使用し易いのは勿論のこと、端末４００の操作も容易である。
【０１２７】
なお、本発明の実施にあたり、上記各実施形態に限ることなく、次のような種々の変形例が挙げられる。
（１）医師や上記医療補助者が独自に準備した端末、血圧計、体温計、脈拍計を用いて、上記医療補助者が上記申し出者の電子カルテに端末を介し入力するようにしてもよい。
（２）カーナビゲーションシステムに応用されているように、被災者の電話番号及び氏名が分かれば住所が判明することから、端末のキーボードでもって、当該電話番号及び氏名を入力し、このように入力した電話番号及び氏名をトリアージタグに記憶させておくようにしてもよい。これにより、簡易迅速に被災者の特定情報（住所等）を特定できることを目指した災害時のトリアージタグの提供に役立つ。
（３）上記実施形態にて述べた外側筐体、外蓋の枠体及び外壁部は、桐に代えて、杉などの桐と同様の特性を有する木材でもって形成するようにしてもよい。なお、難燃性確保の点から、杉などの桐と同様の特性を有する木材にメタルシリコン系難燃溶液を含浸することが望ましい。
（４）上記実施形態にて述べた内側筐体は、杉に代えて、桐或いは杉と同様の特性を有する木材でもって形成してもよい。
（５）上記実施形態にて述べた桐板は、１２ｍｍの板厚のものに限らず、必要に応じ適宜変更採用してもよい。
【０１２８】
また、鉄板の板厚は、１．２ｍｍに限らず、例えば、１ｍｍ〜１．２ｍｍの範囲以内の値でもよく、また、これに限らず、必要に応じて適宜変更してもよい。
（６）上記実施形態にて述べた保管庫の各筐体及び枠体の外周形状は、四角形状に限ることなく、例えば、５角形状や円筒形状等に適宜変更してもよい。
（７）上記実施形態において、メタルシリコン系難燃溶液に代えて、この難燃溶液と同様の難燃特性を有する溶液を採用してもよい。
（８）上記実施形態において、保管庫の高さは、約５０ｃｍに限ることなく、可搬性を満たす範囲で適宜変更してもよい。
（９）上記実施形態において、キーボードやマウスの操作による入力に代えて、タッチパネルの操作による入力としてもよい。
（１０）上記実施形態にて述べた内側筐体１１０ｃの上端開口部を、外側及び中側の両筐体１１０ａ、１１０ｂの上端開口部よりの所定長さだけ高くするように上方に突出させ、枠体１２０ａの下端開口部を、内側筐体１１０ｃの上端開口部に気密的かつ液密的に嵌合させるように、内側筐体１１０ｃの上端開口部の外形寸法に合わせて形成するようにしてもよい。これにより、枠体１２０ａの下端開口部と内側筐体１１０ｃの上端開口部との間に、いわゆる茶筒の気密的な嵌め合い構造と同様の構造を適用し得る。但し、内側筐体１１０ｃは、外側筐体１１０ａの形成材料である桐で形成する。
【０１２９】
これにより、枠体１２０ａの下端開口部と内側筐体１１０ｃの上端開口部との嵌合は、気密的かつ液密的に十分に確保される。従って、保管庫は、上記実施形態の保管庫と同様の耐湿性や耐水性を確保し得る。
【図面の簡単な説明】
【０１３０】
【図１】本発明が適用される救急診療支援電子カルテ装置の一実施形態を示す正面図である。
【図２】上記第１実施形態における救急診療支援電子カルテ装置の部分破断平面図である。
【図３】上記第１実施形態における救急診療支援電子カルテ装置の左側面図である。
【図４】図２の４−４線に沿う部分破断断面図である。
【図５】図２の５−５線に沿う部分断面図である。
【図６】図２の６−６線に沿う部分断面図である。
【図７】上記実施形態において救急診療支援電子カルテ装置の使用可能状態を説明するための正面図である。
【図８】上記実施形態において救急診療支援電子カルテ装置の使用可能状態を示す平面図である。
【図９】上記実施形態において救急診療支援電子カルテ装置の使用可能状態を示す左側面図である。
【図１０】上記実施形態における救急診療支援電子カルテ装置を使用可能状態においてときのブロック回路構成図である。
【図１１】図１０のＣＰＵの作用を示すフローチャートである。
【図１２】上記実施形態における電子カルテのブランクフォームを示す図である。
【図１３】患者の特定事項を電子カルテに入力したときの表示例示図である。
【図１４】患者の症状を電子カルテに入力したときの表示例示図である。
【図１５】医師所見及び処置を電子カルテに入力したときの表示例示図である。
【図１６】入力済みの電子カルテの表示例示図である。
【符号の説明】
【０１３１】
１００…保管庫、１１０…保管庫本体、１１０ａ…外側筐体、１１０ｂ…中側筐体、１１０ｃ…内側筐体、１２０…蓋、１２０ａ…枠体、１２０ｂ…蓋壁、１２４…内壁部、１２５…中壁部、１２６…外壁部、３００ａ…血圧計、３００ｂ…体温計、３００ｃ…心拍計、４００ａ…制御回路、４００ｂ…駆動回路、４００ｃ…ＬＣＤ、４０４…ＣＰＵ。
【図１】
2007086855.tif 000003
【図２】
2007086855.tif 000004
【図３】
2007086855.tif 000005
【図４】
2007086855.tif 000006
【図５】
2007086855.tif 000007
【図６】
2007086855.tif 000008
【図７】
2007086855.tif 000009
【図８】
2007086855.tif 000010
【図９】
2007086855.tif 000011
【図１０】
2007086855.tif 000012
【図１１】
2007086855.tif 000013
【図１２】
2007086855.tif 000014
【図１３】
2007086855.tif 000015
【図１４】
2007086855.tif 000016
【図１５】
2007086855.tif 000017
【図１６】
2007086855.tif 000018